(57)【要約】【課題】 照明器具の設置位置を上下に移動させることができるとともに、上方から照射するだけでなく、下方からの照射も可能とした植物栽培用照明装置を提供する。【解決手段】  照明器具取付部材5は、アングル材で、１対の支柱2の中心線を通る垂直面に対して上下いずれかの方向に傾斜した第１照明器具取付面11aと、同垂直面に対して第１照明器具取付面11aとは反対側にあって第１照明器具取付面11aと上下同方向に傾斜した第２照明器具取付面12aとを有している。位置決め部材4は、所定高さ位置で支柱2に固定することができ、上下各照明器具取付面がいずれも斜め下方を向いた第１の取付状態と、第１の取付状態とは上下を逆にした第２の取付状態とのいずれにも取付可能とされている。【選択図】    図６
2018186710.tif 000002
【特許請求の範囲】
【請求項１】
互いに対向する少なくとも１対の支柱と、支柱が挿通される貫通孔を有し所定高さ位置で各支柱に固定される位置決め部材と、互いに対向する１対の位置決め部材間に渡し止められて照明器具が取り付けられる照明器具取付部材とを備え、１対の位置決め部材および照明器具取付部材が複数段に配置されている植物栽培用照明装置であって、
照明器具取付部材は、１対の支柱の中心線を通る垂直面に対して上下いずれかの方向に傾斜した第１照明器具取付面と、同垂直面に対して第１照明器具取付面とは反対側にあって第１照明器具取付面と上下同方向に傾斜した第２照明器具取付面とを有しており、
位置決め部材は、各照明器具取付面がいずれも斜め上方または斜め下方を向いた第１の取付状態と、第１の取付状態とは上下を逆にした第２の取付状態とのいずれにも取付可能とされていることを特徴とする植物栽培用照明装置。
【請求項２】
位置決め部材の周壁を貫通するようにめねじ部が形成されており、該めねじ部に、位置決め部材を支柱に固定するおねじ部材がねじ合わされている請求項１記載の植物栽培用照明装置。
【請求項３】
最下位置に配置される位置決め部材の下端部に、ベースプレートが取り付けられている請求項１または２記載の植物栽培用照明装置。
【請求項４】
照明器具取付部材は、アングル材で、その外側の面が照明器具取付面とされており、角部が位置決め部材の上下いずれかの端部に接合され、角部に、支柱を挿通させるための貫通孔が形成されている請求項１〜３のうちのいずれかに記載の植物栽培用照明装置。
【発明の詳細な説明】
【技術分野】
【０００１】
この発明は、植物栽培用照明装置に関し、特に、露地栽培やハウス栽培における日照不足を補うのに適した植物栽培用照明装置に関する。
【背景技術】
【０００２】
露地栽培やハウス栽培における日照不足を補う植物栽培用照明装置として、支柱の上端部に、植物に光を照射する照明器具が取り付けられているものが知られている（特許文献１など）。
【０００３】
特許文献１のものでは、支柱が相対的に摺動可能とされた径の異なる２本のパイプからなるものとされることで、支柱の高さの調整が可能なものとされており、これにより、植物の成長に合わせて照明器具の設置位置を上下に移動させることができるようになされている。
【０００４】
植物の成長に応じて、照明器具の設置位置を上下に移動させることは有用であるが、自立している幹に対して枝が伸び、枝先に果実を付けるイチゴ、トマト、なすなどの植物については、上方からの照射だけでは不十分であり、下方からの照射も可能であることが望まれている。
【０００５】
特許文献１の植物栽培用照明装置は、上方もしくは側方から照射するもので、下方から照射することはできなかった。
【先行技術文献】
【特許文献】
【０００６】
【特許文献１】特開２０１２−２８２９３号公報
【発明の概要】
【発明が解決しようとする課題】
【０００７】
この発明の目的は、上記問題を解決し、照明器具の設置位置を上下に移動させることができるとともに、上方から照射するだけでなく、下方からの照射も可能とした植物栽培用照明装置を提供することにある。
【課題を解決するための手段】
【０００８】
本発明は、上記目的を達成するために以下の態様からなる。
【０００９】
1)互いに対向する少なくとも１対の支柱と、支柱が挿通される貫通孔を有し所定高さ位置で各支柱に固定される位置決め部材と、互いに対向する１対の位置決め部材間に渡し止められて照明器具が取り付けられる照明器具取付部材とを備え、１対の位置決め部材および照明器具取付部材が複数段に配置されている植物栽培用照明装置であって、
照明器具取付部材は、１対の支柱の中心線を通る垂直面に対して上下いずれかの方向に傾斜した第１照明器具取付面と、同垂直面に対して第１照明器具取付面とは反対側にあって第１照明器具取付面と上下同方向に傾斜した第２照明器具取付面とを有しており、
位置決め部材は、各照明器具取付面がいずれも斜め上方または斜め下方を向いた第１の取付状態と、第１の取付状態とは上下を逆にした第２の取付状態とのいずれにも取付可能とされていることを特徴とする植物栽培用照明装置。
【００１０】
2)位置決め部材の周壁を貫通するようにめねじ部が形成されており、該めねじ部に、位置決め部材を支柱に固定するおねじ部材がねじ合わされている上記1)記載の植物栽培用照明装置。
【００１１】
3)最下位置に配置される位置決め部材の下端部に、ベースプレートが取り付けられている上記1)または2)記載の植物栽培用照明装置。
【００１２】
4)照明器具取付部材は、アングル材で、その外側の面が照明器具取付面とされており、角部が位置決め部材の上下いずれかの端部に接合され、角部に、支柱を挿通させるための貫通孔が形成されている上記1)〜3)のうちのいずれかに記載の植物栽培用照明装置。
【発明の効果】
【００１３】
上記1)〜4)の植物栽培用照明装置によれば、各照明器具取付面が斜め下方を向いた取付状態では、照明器具の光が斜め下方に照射され、各照明器具取付面が斜め上方を向いた取付状態では、照明器具の光が斜め上方に照射されるので、植物の成長に応じて、位置決め部材の上下位置を変更するとともに、位置決め部材の取付状態を適宜変更し、複数段の全てを上方からの照射用に使用したり、複数段の一部を上方からの照射用に、残りを下方からの照射用に使用したり、複数段の全てを下方からの照射用に使用したりすることが可能であり、植物の成長のための最適な照射が可能となる。
【００１４】
上記2)の植物栽培用照明装置によれば、おねじ部材を緩めて、位置決め部材を上下移動可能とし、位置決め部材を所定位置に移動させた後に、おねじ部材を締め付けることで位置決め部材を固定できるので、照明器具の高さ調節が容易であり、植物の成長に応じて頻繁な高さ調節を容易に行うことができる。
【００１５】
上記3)の植物栽培用照明装置によれば、この照明装置を露地栽培やハウス栽培での使用に適したものとできる。
【００１６】
上記4)の植物栽培用照明装置によれば、アングル材を使用することで、照明器具取付部材を簡単な構成とすることができ、装置全体を簡単で低コストのものにできる。
【図面の簡単な説明】
【００１７】
【図１】この発明の植物栽培用照明装置の全体構成を示す正面図である。
【図２】図１の要部の拡大正面図である。
【図３】図１の要部の右側面図である。
【図４】図１の植物栽培用照明装置の底面図である。
【図５】図４のV-V線に沿う断面図である。
【図６】図１の植物栽培用照明装置に照明器具を取り付けた状態を示す左側面図である。
【図７】この発明の植物栽培装置の使用の１例を示す左側面図である。
【図８】この発明の植物栽培装置の使用の他の例として、植物が成長した際の使用の１例を示す左側面図である。
【発明を実施するための形態】
【００１８】
以下、この発明の実施形態を、図面を参照して説明する。以下の説明において、図１の上下、左右を上下、左右というものとする。また、「アルミニウム」という用語には、純アルミニウムの他にアルミニウム合金を含むものとする。
【００１９】
図１から図６までに示すように、植物栽培用照明装置(1)は、アルミニウム製の複数本の支柱(2)と、各支柱(2)に嵌められて所定高さ位置で支柱(2)に固定されたアルミニウム製の複数の位置決め部材(3)(4)と、互いに対向する位置決め部材(4)間に渡し止められたアルミニウム形材製の照明器具取付部材(5)とを備えている。
【００２０】
図１には、左右１対の支柱(2)と、各支柱(2)の最下位置に配置された１対の位置決め部材(3)と、各支柱(2)の上下中間位置に配置された１対の位置決め部材(4)およびこれらに支持された照明器具取付部材(5)とが示されている。支柱(2)が複数対とされて、前後左右に所定間隔をおいて設置されるとともに、支柱(2)の上下中間位置に配置される１対の位置決め部材(4)および照明器具取付部材(5)の数が適宜な段数とされることで、所要の大きさの植物栽培用照明装置(1)とされる。
【００２１】
中間位置に配置された１対の位置決め部材(4)およびこれらに支持された照明器具取付部材(5)は、植物の成長に応じて、図１および図６に実線で示されている位置から同図に二点鎖線で示されている上方位置または下方位置に移動させることができる。
【００２２】
支柱(2)は、先細り状とされた所定長さの埋設部(2a)を下端に有しており、この埋設部(2a)が地中に埋設されることで、支柱(2)が地中に固定される。
【００２３】
位置決め部材(3)(4)は、筒状で上下対称に形成されており、上下を逆にして支柱(2)に嵌めることができる。最下位置専用の位置決め部材(3)と汎用の位置決め部材(4)とは、同一の形状とされており、各位置決め部材(3)(4)の周壁外周には、ナット(9)が固定されており、ナット(9)になべ小ねじ(8)がねじ合わされている。
【００２４】
位置決め部材(3)(4)は、所定位置にかつ対応する支柱(2)同士で同じ高さになるように配置される。全ての位置決め部材(3)(4)は、同一形状であるが、配置される位置によって、最下位置に配置されて使用中に位置が変更されない最下位置専用の位置決め部材(3)と、適宜な段数となるように配置されて、植物の成長に応じて上下位置が変更される汎用の位置決め部材(4)とがある。
【００２５】
図３に示すように、照明器具取付部材(5)は、直角をなす２片(11)(12)からなるアングル材とされており、側面から見て開口が上方を向いた略Ｖ字状（Ｖ字のなす角が９０°）となるように、その角部(13)が汎用の位置決め部材(4)の上端部に接合されている。
【００２６】
アングル材を形成している２つの片(11)(12)の各外側の面が照明器具取付面(11a)(12a)とされており、これにより、照明器具取付部材(5)には、１対の支柱(2)の中心線を通る垂直面に対して斜め下方を向くように傾斜した第１照明器具取付面(11a)と、第１照明器具取付面(11a)とは反対側にあって１対の支柱(2)の中心線を通る垂直面に対して斜め下方を向くように傾斜した第２照明器具取付面(12a)とが、左右の支柱(2)の中心線を通る垂直面に対して対称に形成されている。
【００２７】
照明器具取付部材(5)の角部(13)には、支柱(2)を挿通させるための上下方向の貫通孔(13a)が形成されている。
【００２８】
照明器具取付部材(5)および汎用の位置決め部材(4)は、照明器具取付部材(5)の左右端部に１対の位置決め部材(4)が固定された状態で、１対の支柱(2)を連結するように取り付けられる。
【００２９】
照明器具(6)は、例えば直管型ＬＥＤランプとされて、図６に示すように、照明器具取付部材(5)の照明器具取付面(11a)(12a)に取り付けられる。これにより、図６に示した状態では、照明器具(6)からの光の照射は、斜め下方に拡がる照射となっている。照明器具取付部材(5)として、アングル材を使用していることで、照明器具(6)からの照射が外拡がりになり、植物に対して広範囲に照射することが可能になっている。
【００３０】
照明器具(6)としては、直管型ＬＥＤランプのほか、基板およびＬＥＤチップを有するＬＥＤユニットや、他の形式のＬＥＤランプなどのＬＥＤを利用した種々のＬＥＤ灯具を使用することができる。
【００３１】
最下位置専用の位置決め部材(3)の下端部には、アルミニウム製のベースプレート(7)が固定されている。ベースプレート(7)は、図４に示すように、２つの長方形状のプレート片(7a)(7b)がＸ字状とされることで形成されている。最下位置専用の位置決め部材(3)は、埋設部(2a)が地中に埋設さた支柱(2)に上から嵌められて地面に接することにより、支柱(2)を自立保持させることができる。地面に接する側のプレート片(7b)には、ベースプレート(7)を固定する杭を打ち込むための貫通孔(7c)が形成されている。ベースプレート(7)は、図示省略するが、正方形の板状であってもよく、円板状であってもよい。
【００３２】
図５に示すように、位置決め部材（図５では、最下位置専用の位置決め部材(3)を示すが、汎用の位置決め部材(4)でも同様）は、筒状とされていることで、支柱(2)を挿通させるための上下方向の貫通孔(3a)を有している。位置決め部材(3)には、また、なべ小ねじ(8)の先端部を挿通させるためのねじ挿通孔(3b)が周壁を貫通するように設けられている。ナット(9)およびねじ挿通孔(3b)によって、おねじ部材であるなべ小ねじ(8)にねじ合わされるめねじ部が形成されている。
【００３３】
なべ小ねじ(8)の先端は、支柱(2)の外周面に臨まされており、したがって、なべ小ねじ(8)を締め付けることで各位置決め部材(3)(4)を上下任意の位置に固定することができ、なべ小ねじ(8)を緩めた状態とすることで、各位置決め部材(3)(4)を上下任意の位置に摺動させることができる。
【００３４】
なべ小ねじ(8)に代えて、六角頭のボルトや六角孔付きのボルトなどのおねじ部材を使用することもできる。また、ねじ挿通孔(3b)をねじ孔とすることで、ナット(9)を省略するようにしてもよい。
【００３５】
上記の植物栽培用照明装置(1)によると、各位置決め部材(3)(4)が支柱(2)の任意位置に固定可能となっていることで、まず、設置の段階で、最下位置専用の位置決め部材(3)の位置を適当に設定することで、埋設部(2a)の長さ、すなわち支柱(2)の地面からの高さを調整することができる。そして、汎用の位置決め部材(4)を相対的に下方位置に固定しておいて、植物の成長に応じて、汎用の位置決め部材(4)を上方に移動させて位置決め部材(3)(4)同士の間隔を拡げることが容易となっている。
【００３６】
また、汎用の位置決め部材(4)を上下を逆にして支柱(2)に嵌めることにより、図２で側面から見てＶ字状で位置決め部材(4)の上端部に固定されている照明器具取付部材(5)は、側面から見て逆Ｖ字状で汎用の位置決め部材(4)の下端部に固定されているものとなり、照明器具(6)からの光の照射は、斜め上方に拡がる照射となる。したがって、例えば、２段目の照明器具取付部材(5)が固定されている位置決め部材(4)は、初期設定のままの上方からの照射とし、１段目の照明器具取付部材(5)が固定されている位置決め部材(4)の上下を逆にするとともに、その位置を適宜下方に移動させることで、植物の光を当てたい部分に集中的に照射を行うことも可能となる。
【００３７】
上記の植物栽培用照明装置(1)の使用の１例を図７および図８に示す。
【００３８】
植物栽培用照明装置(1)は、例えば、図７に示すように、位置決め部材(4A)(4B)(4C)および照明器具取付部材(5A)(5B)(5C)を３段に取り付けて、全ての照明器具(6)を下方照射用として使用することにより、植物(P)の上の部分、中間部分および下の部分の全ての部分に対して、光を照射することができる。そして、２段目および３段目の位置決め部材(4B)(4C)および照明器具取付部材(5B)(5C)を上方に移動させることで、植物(P)がさらに成長した場合であっても、植物(P)の上の部分、中間部分および下の部分の全ての部分に対して、光を照射することができる。
【００３９】
また、植物栽培用照明装置(1)は、例えば、図８に示すように、位置決め部材(4A)(4B)(4C)(4D)および照明器具取付部材(5A)(5B)(5C)(5D)を４段に取り付けて、２段目および４段目については、下方照射用配置として、１段目および３段目については、上方照射用配置に変更することで、上方からの照射だけでなく、下方からの照射を併用して、植物の上の部分および下の部分を強く照射することもできる。
【００４０】
こうして、支柱(2)の長さや汎用の位置決め部材(4)および照明器具取付部材(5)の数を適宜設定するとともに、汎用の位置決め部材(4)の上下位置および正逆を変更することで、種々の植物(P)に対して、その成長に合わせた最適照射を行うことができる。
【００４１】
なお、上記において、照明器具取付部材(5)として、アングル材が使用されて、これが汎用の位置決め部材(4)に接合されているが、１対の支柱(2)の中心線を通る垂直面に対して上下いずれかの方向に傾斜した第１照明器具取付面と、同垂直面に対して第１照明器具取付面とは反対側にあって第１照明器具取付面と上下同方向に傾斜した第２照明器具取付面とを有しているものであれば、照明器具取付部材(5)の構成はこれに限られるものではない。例えば、照明器具取付部材(5)を１対のプレートからなるものとし、各プレートが照明器具(6)が取り付けられる照明器具取付部と、汎用の位置決め部材(4)におねじ部材で固定される固定部とからなるものとしてもよい。
【産業上の利用可能性】
【００４２】
この発明による植物栽培用照明装置は、野菜および果物などの栽培のために照明装置を補助光源とする際に好適に用いられる。
【符号の説明】
【００４３】
(1)：植物栽培用照明装置
(2)：支柱
(3)(4)：位置決め部材
(3a)：貫通孔
(5)：照明器具取付部材
(6)：照明器具
(7)：ベースプレート
(8)：なべ小ねじ（おねじ部材）
(11a)(12a)：照明器具取付面
(13)：角部
(13a)：貫通孔
(P)：植物
【図１】
2018186710.tif 000003
【図２】
2018186710.tif 000004
【図３】
2018186710.tif 000005
【図４】
2018186710.tif 000006
【図５】
2018186710.tif 000007
【図６】
2018186710.tif 000008
【図７】
2018186710.tif 000009
【図８】
2018186710.tif 000010